(57)【要約】      （修正有）【課題】地震の揺れを利用して家具を家具後方の壁側に強制的に傾けさせることによって、前方への転倒を防止するための家具転倒防止敷台を提供する。【解決手段】家具が載置されることとなる矩形の載置板１２と、前記載置板の一辺１４に沿って、前記載置板の下面側に突設される前框１６と、前記一辺と相対する他辺１８に沿って、前記載置板の下面側に突設される後框２０とを含んで成り、前記後框が上段後框２２及び下段後框２４で構成され、且つ該上段後框及び該下段後框における前記前框と相対する面と反対側の面同士が蝶番２６で連結して家具転倒防止敷台とする。【選択図】図１
0003169543.tif 000002
【実用新案登録請求の範囲】
【請求項１】
家具が載置されることとなる矩形の載置板と、
前記載置板の一辺に沿って、前記載置板の下面側に突設される前框と、
前記一辺と相対する他辺に沿って、前記載置板の下面側に突設される後框と、
を含んで成り、
前記後框が上段後框及び下段後框で構成され、且つ該上段後框及び該下段後框における前記前框と相対する面と反対側の面同士が蝶番で連結されていることを特徴とする家具転倒防止敷台。
【請求項２】
前記前框と前記後框との間に一又は複数の根太を備え、
前記根太の下面が、前記前框の下面から前記上段後框の下面に向かって斜めに傾斜していることを特徴とする請求項１に記載の家具転倒防止敷台。
【請求項３】
前記載置板の一方又は両方の側辺に沿って幅木を備え、
前記幅木の前記後框側の端部が上方へ移動可能となるように、前記幅木の前記前框側の端部と前記前框とが回動自在に連結されていることを特徴とする請求項１又は請求項２に記載の家具転倒防止敷台。
【考案の詳細な説明】
【技術分野】
【０００１】
本考案は、地震の際に家具の転倒を防止する家具転倒防止敷台に関し、特に地震の揺れを利用して家具を家具後方の壁側に強制的に傾けさせることによって、前方への転倒を防止するための家具転倒防止敷台に関する。
【背景技術】
【０００２】
従来、地震時における家具の転倒を防止する方法としては、家具を床や壁に直接固定する方法や家具と天井との間に棒状の突っ張り部材を取り付ける方法等が一般的である。これらの方法は、家具自体を直接固定することによって地震時における転倒を防止しているが、これらの方法とは異なり、家具を家具後方の壁側に傾けさせることによって、家具が前方に転倒することを防止する家具転倒防止装置も種々開示されている（例えば、特許文献１乃至特許文献４参照。）。特許文献１に開示された家具転倒防止装置は振動検知手段と家具載置部とから構成され、振動検知手段が一定以上の大きさの振動を検知したときに家具載置部を傾斜させることによって、家具載置部に載置された家具を家具後方の壁側に傾けるようにしている。
【０００３】
また、特許文献２乃至特許文献４に開示された家具転倒防止装置は何れも家具の前側下部と床面との間に設置され、地震時の揺れを利用して家具の前側を持ち上げることによって家具を家具後方の壁側に傾けさせ、前方への転倒防止を図っている。
【先行技術文献】
【特許文献】
【０００４】
【特許文献１】特開２０００−８３７５１号公報
【特許文献２】特開平８−３０８６６８号公報
【特許文献３】特開２００５−１１０９３６号公報
【特許文献４】特開２００５―２４５８９６号公報
【考案の概要】
【考案が解決しようとする課題】
【０００５】
しかし、従来の壁・床への直接固定方式ではネジや釘を使用するため、家具や壁を傷付けることとなり好ましくない。また、突っ張り方式では天井や家具天板の強度が要求される他、地震時の揺れで突っ張り部材が外れてしまう恐れもある。
【０００６】
更に、特許文献１乃至特許文献４に開示された家具転倒防止装置は何れも構造が複雑であり、装置自体の高コスト化を招く恐れがある。また、特許文献２乃至特許文献４に開示された家具転倒防止装置は、装置の一部が家具の前面下部から突出した状態で設置されるため、家具の見栄えを損なう恐れがあるとともに、この突出した装置の一部に足先を引っかける恐れもある。
【０００７】
そこで本願考案者は、上記の問題点に鑑み、家具を家具後方の壁側に強制的に傾けさせることによって前方への転倒を防止するための、構造が単純で且つ家具の見栄えを損なうことのない家具転倒防止装置を提供するべく鋭意検討を重ねた結果、本考案に至ったのである。
【課題を解決するための手段】
【０００８】
即ち、本考案の家具転倒防止敷台は、家具が載置されることとなる矩形の載置板と、前記載置板の一辺に沿って、前記載置板の下面側に突設される前框と、前記一辺と相対する他辺に沿って、前記載置板の下面側に突設される後框と、を含んで成り、前記後框が上段後框及び下段後框で構成され、且つ該上段後框及び該下段後框における前記前框と相対する面と反対側の面同士が蝶番で連結されていることを特徴とする。
【０００９】
また、本考案の家具転倒防止敷台において、前記前框と前記後框との間に一又は複数の根太を備え、前記根太の下面が、前記前框の下面から前記上段後框の下面に向かって斜めに傾斜していることを特徴とする。
【００１０】
更に、本考案の家具転倒防止敷台において、前記載置板の一方又は両方の側辺に沿って幅木を備え、前記幅木の前記後框側の端部が上方へ移動可能となるように、前記幅木の前記前框側の端部と前記前框とが回動自在に連結されていることを特徴とする。
【考案の効果】
【００１１】
本考案の家具転倒防止敷台によると、単純な構造でありながら、地震時の揺れを利用して家具を家具後方の壁側に強制的に傾けさせることによって、前方への転倒を防止することができる。また、構造が非常に単純であるため地震時に作動しないという恐れは皆無に近く、更には間伐材等を利用することによって非常に安価に提供することが可能となる。
【００１２】
また、本考案の家具転倒防止敷台は家具の下方に設置されるが、家具の寸法に合わせた当該敷台を採用することによって、家具の前面下部から当該敷台の一部が突出することはなく、インテリアとしての家具の見栄えを損なうこともない。
【００１３】
更に、本考案の家具転倒防止敷台にかかる前框と後框との間に一又は複数の根太を設け、当該根太の下面を、前框の下面から上段後框の下面に向かって斜めに傾斜させているため、家具転倒防止敷台が作動して家具が壁側に傾いた際、家具を載置している載置板を当該根太で支持することができ、家具の自重による家具転倒防止敷台の損壊を確実に防止することができる。
【００１４】
また、本考案の家具転倒防止敷台において、載置板の一方又は両方の側辺に沿って幅木を設け、当該幅木の後框側の端部が上方へ移動可能となるように、当該幅木の前框側の端部と前框とを回動自在に連結することによって、地震時における家具転倒防止敷台の作動に何ら影響を及ぼすことなく、家具の側面側からの見栄えの向上も図ることができる。
【図面の簡単な説明】
【００１５】
【図１】本考案の家具転倒防止敷台の一実施例を示した説明図である。
【図２】図１におけるＡ部分拡大図である。
【図３】図１に示した家具転倒防止敷台の裏面図である。
【図４】（ａ）は図１に示した家具転倒防止敷台の作動前の状態を示したＸ−Ｙ断面図、（ｂ）は作動後の状態を示したＸ−Ｙ断面図である。
【図５】図１に示した家具転倒防止敷台の作動後のＺ方向側面図である。
【考案を実施するための形態】
【００１６】
以下、本考案の家具転倒防止敷台の実施形態を、図面に基づいて説明する。
【実施例】
【００１７】
図１に示す本考案の一実施例に係る家具転倒防止敷台１０は、少なくとも家具が載置されることとなる矩形の載置板１２と、載置板１２の一辺１４に沿って、載置板１２の下面側に突設される前框１６（図３参照）と、一辺１４と相対する他辺１８に沿って、載置板１２の下面側に突設される後框２０とを含んで成る。そして、この後框２０が上段後框２２及び下段後框２４で構成され、且つ上段後框２２及び下段後框２４における前框１６と相対する面２２ａ、２４ａ（図３、図４参照）と反対側の面２２ｂ、２４ｂ同士が蝶番２６で連結されていることを特徴としている。なお、本実施例における載置板１２は複数の板材１２ａを並列に並べて構成されているが、載置板１２の構成は本実施例の構成に限定されるものではない。
【００１８】
また、本実施例の家具転倒防止敷台１０における載置板１２の裏面側には、前框１６と後框２０との間に複数の根太２８を備えており、根太２８の下面２８ａが、前框１６の下面１６ａから上段後框２２の下面２２ｃに向かって斜めに傾斜している（図４参照）。
【００１９】
更に、本実施例の家具転倒防止敷台１０は、載置板１２の両側辺３０に沿って幅木３２を備えている。この幅木３２は、後框２０側の端部３４が載置板１２に対して上方に移動可能となるように、幅木３２の前框１６側の端部３６と前框１６とがピン３８によって回動自在に連結されている。なお、図１における符号３５は、幅木３２の端部３４の回動を案内するガイド金具であり、符号３７は、下段後框２４及び幅木３２の回動を係止するための係止ピンである。
【００２０】
以上の構成から成る本実施例の家具転倒防止敷台１０は、地震時に以下のように作動することによって家具を家具後方の壁側に強制的に傾けさせ、前方への転倒を防止することを可能としている。即ち、図４（ａ）に示すように、平常時は家具転倒防止敷台１０に係る載置板１２上に家具４０が載置されている。このとき、家具４０の前側に家具転倒防止敷台１０の前框１６を位置させることによって、家具４０後方の壁４２側に家具転倒防止敷台１０の後框２０が位置することとなる。そして、この後框２０は、上段後框２２と下段後框２４とを上下に積み重ねた状態で、各々の面２２ｂ、２４ｂ同士を蝶番２６により連結している。なお、家具転倒防止敷台１０に係る載置板１２上への家具４０の載置時には、幅木３２及び下段後框２４の回動を係止ピン３７によって係止しておき、載置完了後、この係止ピン３７を取り外しておく。
【００２１】
この状態で地震が発生し、家具４０が載置された家具転倒防止敷台１０に地震による揺れ、特に前後方向の揺れが作用すると、図４（ｂ）に示すように、後框２０に係る下段後框２４が蝶番２６によって家具４０の後方へと回動し、家具転倒防止敷台１０における後框２０側が下段後框２４の高さ分だけ下がる。つまり、載置板１２が前框１６側から後框２０側に向かって斜め下方に傾斜することとなり、その結果として、載置板１２に載置された家具４０は家具４０後方の壁４２側に強制的に傾けられることとなる。なお、幅木３２については、図５に示すように、載置板１２の後框２０側が下がる際にピン３８を軸として回動するため、下段後框２４の回動に何ら影響を及ぼすものではない。
【００２２】
以上、本考案の一実施例に係る家具転倒防止敷台１０について詳述したが、本実施例の家具転倒防止敷台１０によると、単純な構造でありながら、地震時の揺れを利用して家具４０を家具４０後方の壁４２側に強制的に傾けさせることによって、前方への転倒を防止することができる。また、構造が非常に単純であるため地震時に作動しないという恐れは皆無に近く、更には間伐材等を利用することによって非常に安価に提供することが可能となる。
【００２３】
また、本実施例の家具転倒防止敷台１０に係る載置板１２は、その裏面側に複数の根太２８を備えており、この根太２８の下面２８aが前框１６の下面１６ａから上段後框２２の下面２２ｃに向かって斜めに傾斜している。従って、家具転倒防止敷台１０が地震の揺れによって作動した際、載置板１２上に載置された家具４０を、前框１６及び上段後框２２のみならず複数の根太２８によっても支持することが可能となり、家具４０のより確実な支持、並びに家具転倒防止敷台１０の圧壊を防止することができる。
【００２４】
更に、載置板１２の側辺３０に沿って幅木３２を設け、幅木３２の端部３４が載置板１２に対して上方へ移動可能となるように、幅木３２の端部３６と前框１６とをピン３８で回動自在に連結している。従って、地震時における家具転倒防止敷台１０の作動、つまり下段後框２４の回動に何ら影響を及ぼすことなく、平常時における家具４０の側面側からの見栄えの向上も図ることができる。
【００２５】
以上に例示した本考案の一実施例に係る家具転倒防止敷台１０は、本考案の技術的思想を実質的に限定するものと解してはならない。例えば、本考案に係る蝶番は特に限定されず、一般的な金属製の蝶番も適用可能であるが、ゴム等の弾性部材から成る板状部材２６ａを上段後框２２及び下段後框２４の各々の面２２ｂ、２４ｂに渡って配置し、この板状弾性部材２６ａの上に金属プレート２６ｂを配置してネジ２６ｃで上段後框２２及び下段後框２４と各々螺着する構成の蝶番２６が、地震時における作動性の向上を図る上でより好ましい。
【００２６】
また、図１等における符号４４は、本実施例の家具転倒防止敷台１０と家具４０とを固定するための家具固定板であり、家具転倒防止敷台１０と家具４０とを家具固定板４４で連結固定することによって、地震時における安全性の更なる向上が図られる。
【００２７】
更に、図３に示すように、上段後框２２の下面２２ｃや根太２８の下面２８ａには滑り止めシートを貼着し、前框１６の下面１６ａには比較的滑り易くするシートを貼着しておくことが、地震時における家具転倒防止敷台の作動性の更なる向上を図る上で好ましい。つまり、地震による揺れが作用した際には、下面１６ａに貼着したシートによって家具転倒防止敷台１０は前方へスムーズに移動し、この移動に伴って下段後框２４が回動すると、上段後框２２の下面２２ｃや根太２８の下面２８ａに貼着した滑り止めシートによって家具転倒防止敷台１０の移動が規制され、家具４０が後方へ傾斜した状態を維持し易くなる。
【００２８】
また更に、本実施例の家具転倒防止敷台１０は複数の根太２８及び幅木３２を備えているが、本考案の家具転倒防止敷台に載置される家具の大きさや家具の設置場所等に応じて省略することも可能である。以上のように、本考案は、その要旨を逸脱しない範囲で、当業者の創意と工夫により、適宜に改良、変更又は追加をしながら実施できる。
【符号の説明】
【００２９】
１０：家具転倒防止敷台
１２：載置板
１４：載置板の一辺
１６：前框
１６ａ：前框の下面
１８：載置板の他辺
２０：後框
２２：上段後框
２２ａ：上段後框における前框と相対する面（前面）
２２ｂ：上段後框における前框と相対する面と反対側の面（背面）
２２ｃ：上段後框の下面
２４：下段後框
２４ａ：下段後框における前框と相対する面（前面）
２４ｂ：下段後框における前框と相対する面と反対側の面（背面）
２６：蝶番
２８：根太
２８ａ：根太の下面
３０：載置板の側辺
３２：幅木
３４：幅木の後框側の端部
３６：幅木の前框側の端部
３８：ピン
４０：家具
４２：壁
【図１】
0003169543.tif 000003
【図２】
0003169543.tif 000004
【図３】
0003169543.tif 000005
【図４】
0003169543.tif 000006
【図５】
0003169543.tif 000007